(57)【要約】【課題】  盗難防止用ケーブルにある破裂点の構造は製造コストが低くて製造が極めて簡単で、盗難防止用ケーブルはドアや窓などと一緒に破壊され易くして盗難防止効果を向上させること。【解決手段】  絶縁リボン内に一本の金属リボンが設けてあり、前記金属リボンの長さが前記絶縁リボンと同じであり、前記金属リボンと前記絶縁リボンとの表面に破裂点が設けてある。【選択図】  図１
0003108240.tif 000002
【実用新案登録請求の範囲】
【請求項１】
絶縁リボン内に一本の金属リボンが設けてあり、
且つ前記金属リボンの長さは前記絶縁リボンと同様であり、
前記金属リボンと前記絶縁リボンとの表面には破裂点が設けてあることを特徴とする、
盗難防止用ケーブル。
【請求項２】
前記破裂点は、プレス加工により幾何形状を有する窪みに形成したものであることを特徴とする、請求項１に記載の盗難防止用ケーブル。
【請求項３】
前記絶縁リボンは二本の樹脂リボンを貼り合って構成されたものであり、二本の前記樹脂リボンの間には一本の金属リボンが設けてあることを特徴とする、請求項１に記載の盗難防止用ケーブル。
【請求項４】
前記破裂点は円形であることを特徴とする、請求項２に記載の盗難防止用ケーブル。
【請求項５】
前記破裂点は三角形であることを特徴とする、請求項２に記載の盗難防止用ケーブル。
【考案の詳細な説明】
【技術分野】
【０００１】
本考案は盗難防止用ケーブルに係り、特にドアや窓などのものと一緒に破壊され易いことにより、盗難防止用ケーブルと接続する盗難防止システムが即時に異常信号を検出して、警告信号を発生し警備員を呼ぶことができる盗難防止用ケーブルに関するものである。
【背景技術】
【０００２】
最近、盗難防止の目標を達成しようとすることにより、関連業者は各種類の盗難防止用装置を開発している。よく見られる盗難防止用装置は、盗難防止システムに接続しドアや窓などのものに貼り付けた盗難防止用ケーブルであり、盗難防止用ケーブルが盗難防止システムによって監視される。
前記盗難防止用ケーブルは、盗難防止システムに取付けることにより盗難防止効果を有するが、この盗難防止用ケーブルの構造は極めて堅実であり破裂点もないので、無理に破壊しようとしても断裂し難い。そのため泥棒はドアや窓などを破壊している際に、盗難防止用ケーブルが破壊されないので、盗難防止システムは警告信号を発生して警備員を呼ぶことができない。また泥棒は、盗難防止用ケーブルを発覚した後、盗難防止用ケーブルが取付けられない別のドアや窓などから侵入して財物などを盗む。
【考案の開示】
【考案が解決しようとする課題】
【０００３】
本考案の主な目的は、ドアや窓などと一緒に破壊され易いことにより、盗難防止用ケーブルと接続する盗難防止システムが即時に異常信号を検出して、警告信号を発生して警備員を呼ぶことができる盗難防止用ケーブルを提供する。
【課題を解決するための手段】
【０００４】
上記目的を達成するためになされた本願の第１考案は、絶縁リボン内に一本の金属リボンが設けてあり、且つ前記金属リボンの長さは前記絶縁リボンと同様であり、前記金属リボンと前記絶縁リボンとの表面には破裂点が設けてあることを特徴とする盗難防止用ケーブルであることを要旨としている。
【０００５】
本願の第２考案では、前記破裂点は、プレス加工により幾何形状を有する窪みに形成したものであることを特徴とする、前記第１考案に記載の盗難防止用ケーブルであることを要旨としている。
【０００６】
本願の第３考案では、前記絶縁リボンは二本の樹脂リボンを貼り合って構成されたものであり、二本の前記樹脂リボンの間には一本の金属リボンが設けてあることを特徴とする、前記第１考案に記載の盗難防止用ケーブルであることを要旨としている。
【０００７】
本願の第４考案では、前記破裂点は円形であることを特徴とする、前記第２考案に記載の盗難防止用ケーブルであることを要旨としている。
【０００８】
本願の第５考案では、前記破裂点は三角形であることを特徴とする、前記第２考案に記載の盗難防止用ケーブルであることを要旨としている。
【考案の効果】
【０００９】
本考案に係る盗難防止用ケーブルによれば、次のような効果がある。
（１）ドアや窓などと一緒に破壊され易いことにより、盗難防止用ケーブルと接続した盗難防止システムが即時に異常信号を検出し、警告信号を発生して警備員を呼ぶことができる。
【００１０】
（２）製造コストが低くて製造が極めて簡単な破裂点の構造により、盗難防止用ケーブルが断裂したときに、断線信号が即時に盗難防止システムに転送し、間違った情報を転送することを有効に低減することができて、盗難防止効果が格段に向上する。
【考案を実施するための最良の形態】
【００１１】
以下、添付図面を参照して本考案の好適な実施の形態を詳細に説明する。
【実施例１】
【００１２】
まず、図１と図２を参照して説明すると、本考案に係る盗難防止用ケーブル１０は、二本の樹脂リボン２０を貼り合って一本の絶縁リボンにより構成し、且つ二本の前記樹脂リボン２０の間には一本の金属リボン３０が設けてあり、前記金属リボン３０は盗難防止回路と接続し、金属リボン３０の長さは絶縁リボンと同様である。また、二本の樹脂リボン２０と金属リボン３０との両側の周縁では、プレス加工により幾何形状を有する窪みに形成した破裂点２１,３１を有する。
【００１３】
また、図３を参照して、本考案に係る盗難防止用ケーブル１０の使用方法について説明する。
適当な長さを有する前記盗難防止用ケーブル１０を窓ガラスなどの盗難防止しようとするものに固定する。絶縁リボン内の前記金属リボン３０は盗難防止システム４０と接続してある。前記盗難防止システム４０は前記金属リボン３０に電力を供給し、且つ前記金属リボン３０からの信号を判断する。
泥棒は破壊性の工具により窓ガラスなどを破壊するときに、盗難防止用ケーブル１０にある二本の樹脂リボン２０と、一本の金属リボン３０とには破裂点２１,３１を有するので、破裂点２１,３１により盗難防止用ケーブル１０が断裂し易い。そのため、泥棒が盗難防止用ケーブル１０の存在を発覚しない状態で別のものを破壊し続ける。
【００１４】
このとき、前記盗難防止用ケーブル１０内の金属リボン３０は断線することになって、盗難防止システム４０が信号を接収できなくなる。盗難防止システム４０は信号の受信がなくなったときに、泥棒の侵入と判断して、警告信号を発生して警備員に知らせて即時に泥棒を逮捕することができる。
【実施例２】
【００１５】
また、図４と図５を参照して実施例２について説明する。
二本の樹脂リボン２０と、一本の金属リボン３０とに窪み状の破裂点２１,３１はプレス加工により形成する。泥棒がドアや窓などを破壊するときに、盗難防止用ケーブル１０にある樹脂リボン２０と金属リボン３０とに設けた破裂点２１,３１により盗難防止用ケーブル１０が断裂し易くなる。
盗難防止システム４０は、前記盗難防止用ケーブル１０からの異常信号を接収したときに、泥棒の侵入と判断し、警告信号を発生して警備員を呼び込んで、即時に泥棒を逮捕することができる。
【００１６】
特に、樹脂リボン２０と金属リボン３０とに設けた破裂点２１,３１は幾何形状にプレスすることができる。
例えば図１に示すように樹脂リボン２０と金属リボン３０とに設けた破裂点２１,３１は円形であったり、または図６に示すように樹脂リボン２０と金属リボン３０とに設けた破裂点２１,３１は三角形であってもよい。
【図面の簡単な説明】
【００１７】
【図１】本考案の分解斜視図である。
【図２】本考案の組合状態の斜視図である。
【図３】本考案の使用状態の斜視図である。
【図４】本考案の実施例２の分解斜視図である。
【図５】本考案の実施例２の組合状態の斜視図である。
【図６】本考案の実施例３の組合状態の斜視図である。
【符号の説明】
【００１８】
１０      盗難防止用ケーブル        ２０      樹脂リボン
２１      破裂点                    ３０      金属リボン
３１      破裂点                    ４０      盗難防止システム
【図１】
0003108240.tif 000003
【図２】
0003108240.tif 000004
【図３】
0003108240.tif 000005
【図４】
0003108240.tif 000006
【図５】
0003108240.tif 000007
【図６】
0003108240.tif 000008